(57)【要約】【課題】液体吐出ヘッドの寿命を延ばす。【解決手段】プリンタは、ノズルに連通する複数の圧力室、及び、圧力室内のインクに圧力を付与する複数の圧電素子を含むインクジェットヘッドを備えている。通常印刷モードで動作して印刷を行う場合に（Ｓ１０２：ＮＯ）、駆動させるべき圧電素子に駆動パルスが付与された回数の積算値Ｃｓが所定値Ｃｐよりも大きくなったとき（Ｓ１０４：ＹＥＳ）、あるいは、いずれかのインクジェットヘッドにおいて、積算値Ｃｓが所定値Ｃｐを超えた圧電素子の割合Ｒが所定割合Ｒｐ以上となったときに（Ｓ１０５：ＹＥＳ）に、それ以降、インクジェットヘッドを駆動するドライバＩＣから圧電素子に付与する駆動パルスの数を、通常時よりも少なくする（Ｓ１０６）。【選択図】図６
2010194985.tif 000002
【特許請求の範囲】
【請求項１】
記録媒体に液体を吐出する複数のノズルと、前記複数のノズルに対応して個別に設けられており、液体に吐出エネルギーを付与する複数の吐出エネルギー付与手段とを有する液体吐出ヘッドと、
前記複数の吐出エネルギー付与手段を駆動する駆動手段と、
前記駆動手段を制御する制御手段とを備えており、
前記制御手段は、
各吐出エネルギー付与手段の使用頻度に関わるパラメータを監視しており、
前記複数の吐出エネルギー付与手段のいずれかにおける前記パラメータが所定のしきい値を超えたときに、当該吐出エネルギー付与手段に対応するノズルから液体を吐出して前記記録媒体上に１つのドットを形成する際に、当該吐出エネルギー付与手段から液体に付与する吐出エネルギーを、それまでよりも小さくさせるように、前記駆動手段を制御することを特徴とする印刷装置。
【請求項２】
前記液体吐出ヘッドが、前記複数のノズルにそれぞれ連通する複数の圧力室をさらに備えており、
前記複数の吐出エネルギー付与手段が、前記複数の圧力室内の液体にそれぞれ圧力を付与することによって液体に吐出エネルギーを付与する複数の圧電素子であり、
前記駆動手段が、前記複数の圧電素子に、それぞれ、駆動パルスを付与することによって、前記複数の圧電素子を駆動するものであって、
前記パラメータが、対応する圧電素子における、前記駆動パルスが付与された回数の積算値であることを特徴とする請求項１に記載の印刷装置。
【請求項３】
前記制御手段は、
前記複数の圧電素子における前記積算値が前記しきい値以下である通常時には、各ノズルから液体を吐出して前記記録媒体上に１つのドットを形成する際に、前記駆動手段から各圧電素子に前記駆動パルスを複数回付与させるように前記駆動手段を制御し、
前記複数の圧電素子のいずれかにおける前記積算値が前記しきい値を超えたときに、対応するノズルから液体を吐出して前記記録媒体上に１つのドットを形成する際に、前記駆動手段から当該圧電素子に前記駆動パルスを付与する回数を、それまでよりも少なくさせるように前記駆動手段を制御することを特徴とする請求項２に記載の印刷装置。
【請求項４】
前記制御手段が、
前記複数の圧電素子のいずれかに対応する前記積算値が前記しきい値を超えたときに、対応するノズルから液体を吐出して前記記録媒体上に１つのドットを形成する際に、前記駆動手段から当該圧電素子に付与する前記駆動パルスの高さを、それまでよりも低くさせるように前記駆動手段を制御することを特徴とする請求項２に記載の印刷装置。
【請求項５】
所定の解像度で印刷を行う通常印刷モード、及び、前記通常印刷モードよりも高解像度で印刷を行う高解像度印刷モードのいずれかのモードで選択的に動作可能に構成されており、
前記制御手段が、前記高解像度モードで動作する場合には、前記パラメータの値に関わらず、前記複数の吐出エネルギー付与手段から液体に付与する吐出エネルギーを小さくさせないように、前記駆動手段を制御することを特徴とする請求項１〜４のいずれかに記載の印刷装置。
【請求項６】
前記制御手段が、前記複数の吐出エネルギー付与手段のうち、所定の割合以上のものに対応する前記パラメータが前記しきい値を超えたときに、前記パラメータが前記しきい値を超えていない吐出エネルギー付与手段に対応するノズルから液体を吐出して前記記録媒体上に１つのドットを形成する際にも、前記複数の吐出エネルギー付与手段から液体に付与する吐出エネルギーを、それまでよりも小さくさせるように前記駆動手段を制御することを特徴とする請求項１〜５のいずれかに記載の印刷装置。
【請求項７】
前記液体吐出ヘッドが、液体として互いに異なる色のインクを吐出する複数種類のノズルを有しており、
前記制御手段が、いずれかの色のインクを吐出するノズルに対応する前記複数の吐出エネルギー付与手段のうち、所定の割合以上のものに対応する前記パラメータが前記しきい値を超えたときに、吐出するインクの色に関わらず、前記パラメータが前記しきい値を超えていない吐出エネルギー付与手段に対応するノズルからインクを吐出して前記記録媒体上に１つのドットを形成する際にも、前記複数の吐出エネルギー付与手段からインクに付与する吐出エネルギーを、それまでよりも小さくさせるように前記駆動手段を制御することを特徴とする請求項６に記載の印刷装置。
【発明の詳細な説明】
【技術分野】
【０００１】
本発明は、ノズルから液体を吐出することにより、記録媒体に印刷を行う印刷装置に関する。
【背景技術】
【０００２】
液体吐出ヘッドから液体を吐出することによって印刷を行う印刷装置として、特許文献１に記載のインクジェットプリンタにおいては、インクジェットヘッドが、複数のノズル、及び、複数のノズルに連通する複数の圧力室を含むインク流路が形成された流路ユニットと、流路ユニットの上面に配置されており、圧力室内のインクに圧力を付与する圧電アクチュエータとを備えている。圧電アクチュエータは、流路ユニットの上面に積層された３枚の圧電層と、最も上方に配置された圧電層の下面及び上面に、それぞれ、当該圧電層における複数の圧力室と対向する部分を挟むように形成された、共通電極及び個別電極とを有している。また、インクジェットヘッドは、記録用紙の幅方向の全長にわたって延びているとともに、インクジェットプリンタに対して固定された、いわゆるラインヘッドである。
【０００３】
そして、個別電極に駆動パルスを付与することにより、個別電極とグランド電位に保持された共通電極との間に電位差を発生させると、圧電層のこれらの電極に挟まれた部分にその分極方向と同じ下向きの電界が発生し、この電界により最も上方に配置された圧電層が水平方向に収縮して、３枚の圧電層の圧力室と対向する部分（圧電素子）が全体として圧力室側に凸となるように変形し、圧力室内のインクに圧力が付与される。
【先行技術文献】
【特許文献】
【０００４】
【特許文献１】特開２００９−６５５０号公報
【発明の概要】
【発明が解決しようとする課題】
【０００５】
ここで、特許文献１に記載のインクジェットヘッドでは、圧電素子は、その駆動回数の合計が多くなるほど、圧電層の分極が弱まってしまうなどしてその駆動特性が低下してしまうため、ある高さ（駆動電位）の駆動パルスを付与することよって圧電素子を駆動する場合、圧電素子における最大の駆動可能回数は予め決まっている。したがって、特定の圧電素子の使用頻度が高く、早い段階で当該使用頻度の高い圧電素子においてその駆動回数の合計が上記最大の駆動可能回数に達して、その寿命がきてしまうと、他の圧電素子がまだ駆動可能である場合にも、インクジェットヘッドの寿命となってしまう。
【０００６】
このとき、インクジェットヘッドが、特許文献１に記載されているのとは異なり、走査方向に移動しながらインクを吐出するいわゆるシリアルヘッドである場合には、記録用紙の寿命がきた圧電素子に対応するノズルからインクを吐出するべき位置に別のノズルからインクを吐出するなどしてインクジェットヘッドの寿命を延ばすといったことも可能であるが、インクジェットヘッドが、引用文献１に記載されているようなラインヘッドである場合には、このような処理を行うことも困難である。
【０００７】
本発明の目的は、長寿命の液体吐出ヘッドを有する印刷装置を提供することである。
【課題を解決するための手段】
【０００８】
第１の発明に係る印刷装置は、記録媒体に液体を吐出する複数のノズルと、前記複数のノズルに対応して個別に設けられており、液体に吐出エネルギーを付与する複数の吐出エネルギー付与手段とを有する液体吐出ヘッドと、前記複数の吐出エネルギー付与手段を駆動する駆動手段と、前記駆動手段を制御する制御手段とを備えており、前記制御手段は、各吐出エネルギー付与手段の使用頻度に関わるパラメータを監視しており、前記複数の吐出エネルギー付与手段のいずれかにおける前記パラメータが所定のしきい値を超えたときに、当該吐出エネルギー付与手段に対応するノズルから液体を吐出して前記記録媒体上に１つのドットを形成する際に、当該吐出エネルギー付与手段から液体に付与する吐出エネルギーを、それまでよりも小さくさせるように、前記駆動手段を制御することを特徴とするものである。
【０００９】
これによると、吐出エネルギー付与手段は、その使用頻度が増加して液体に付与する吐出エネルギーの合計が大きくなるほど劣化してしまうが、いずれかの吐出エネルギー付与手段における使用頻度に関わるパラメータが、所定のしきい値を超えたときに、当該ノズルから液体を吐出して前記記録媒体上に１つのドットを形成する際に、吐出エネルギー付与手段から液体に付与する吐出エネルギーを、それまでよりも小さくさせることにより、記録媒体に印刷される画像などの質は多少低下してしまうものの、吐出エネルギー付与手段の寿命を長くすることができる。
【００１０】
第２の発明に係る印刷装置は、第１の発明に係る印刷装置であって、前記液体吐出ヘッドが、前記複数のノズルにそれぞれ連通する複数の圧力室をさらに備えており、前記複数の吐出エネルギー付与手段が、前記複数の圧力室内の液体にそれぞれ圧力を付与することによって液体に吐出エネルギーを付与する複数の圧電素子であり、前記駆動手段が、前記複数の圧電素子に、それぞれ、駆動パルスを付与することによって、前記複数の圧電素子を駆動するものであって、前記パラメータが、対応する圧電素子における、前記駆動パルスが付与された回数の積算値であることを特徴とするものである。
【００１１】
これによると、圧電素子に駆動パルスを付与することで、圧電素子により圧力室内の液体に圧力が付与される液体吐出ヘッドの場合には、圧電素子は駆動パルスの付与回数が多くなるほど圧電層の分極が弱まるなどして劣化するため、駆動パルスが付与された回数の積算値をパラメータとし、この積算値が所定のしきい値を超えたときに、吐出エネルギー付与手段から圧力室内の液体に付与する吐出エネルギーを、それまでよりも小さくさせることにより、記録媒体に印刷される画像などの質は多少低下してしまうものの、吐出エネルギー付与手段の寿命を長くすることができる。
【００１２】
第３の発明に係る印刷装置は、第２の発明に係る印刷装置であって、前記制御手段は、前記複数の圧電素子における前記積算値が前記しきい値以下である通常時には、各ノズルから液体を吐出して前記記録媒体上に１つのドットを形成する際に、前記駆動手段から各圧電素子に前記駆動パルスを複数回付与させるように前記駆動手段を制御し、前記複数の圧電素子のいずれかにおける前記積算値が前記しきい値を超えたときに、対応するノズルから液体を吐出して前記記録媒体上に１つのドットを形成する際に、前記駆動手段から当該圧電素子に前記駆動パルスを付与する回数を、それまでよりも少なくさせるように前記駆動手段を制御することを特徴とするものである。
【００１３】
これによると、駆動パルスの数を少なくすることにより、容易に、吐出エネルギー付与手段から圧力室内の液体に付与する吐出エネルギーを小さくすることができる。
【００１４】
第４の発明に係る印刷装置は、第２の発明に係る印刷装置であって、前記制御手段が、前記複数の圧電素子のいずれかに対応する前記積算値が前記しきい値を超えたときに、対応するノズルから液体を吐出して前記記録媒体上に１つのドットを形成する際に、前記駆動手段から当該圧電素子に付与する前記駆動パルスの高さを、それまでよりも低くさせるように前記駆動手段を制御することを特徴とするものである。
【００１５】
これによると、駆動パルスの高さを低くすることにより、容易に、吐出エネルギー付与手段から圧力室内の液体に付与する吐出エネルギーを小さくすることができる。
【００１６】
第５の発明に係る印刷装置は、第１〜第４のいずれか発明に係る印刷装置であって、所定の解像度で印刷を行う通常印刷モード、及び、前記通常印刷モードよりも高解像度で印刷を行う高解像度印刷モードのいずれかのモードで選択的に動作可能に構成されており、前記制御手段が、前記高解像度モードで動作する場合には、前記パラメータの値に関わらず、前記複数の吐出エネルギー付与手段から液体に付与する吐出エネルギーを小さくさせないように、前記駆動手段を制御することを特徴とするものである。
【００１７】
これによると、高解像度印刷モードで動作して印刷を行う場合には、吐出エネルギー付与手段から液体に付与する吐出エネルギーを小さくさせると、印刷された画像などの質の低下が特に目立ってしまうため、高解像度印刷モードで動作して印刷を行う場合には、吐出エネルギー付与手段から液体に付与する吐出エネルギーを小さくさせないことにより、印刷される画像などの質が低下してしまうのを防止することができる。また、高解像度で印刷を行うときには、体積の小さい液滴を記録媒体に着弾させることが多く、吐出エネルギー吐出手段により液体に大きなエネルギーを付与する頻度が低いため、吐出エネルギーを小さくしなくても、吐出エネルギー付与手段の寿命が大幅に短くなってしまうことはない。
【００１８】
一方、通常印刷モードで動作して印刷を行う場合には、吐出エネルギー付与手段から液体に付与する吐出エネルギーを小さくさせても、印刷された画像の画質の低下はそれほど目立たないため、通常印刷モードで動作して印刷を行う場合には、吐出エネルギー付与手段から液体に付与する吐出エネルギーを小さくさせることにより、吐出エネルギー付与手段の寿命を長くすることができる。
【００１９】
第６の発明に係る印刷装置は、第１〜第５のいずれかの発明に係る印刷装置であって、前記制御手段が、前記複数の吐出エネルギー付与手段のうち、所定の割合以上のものに対応する前記パラメータが前記しきい値を超えたときに、前記パラメータが前記しきい値を超えていない吐出エネルギー付与手段に対応するノズルから液体を吐出して前記記録媒体上に１つのドットを形成する際にも、前記複数の吐出エネルギー付与手段から液体に付与する吐出エネルギーを、それまでよりも小さくさせるように前記駆動手段を制御することを特徴とするものである。
【００２０】
吐出エネルギーを小さくさせた吐出エネルギー付与手段に対応するノズルから吐出される液体と、吐出エネルギーを小さくさせていない吐出エネルギーに対応するノズルから吐出される液体との体積の差が大きいため、パラメータが所定のしきい値を超えた吐出エネルギー付与手段が多数ある場合には、記録媒体上に印刷された画像などにおいて、質が低下した領域と質の低下していない領域との差が目立ってしまう虞がある。
【００２１】
しかしながら、本発明では、所定の割合以上のノズルに対応するパラメータが所定のしきい値を超えたときに、パラメータが所定のしきい値を超えていない圧電素子に対応するノズルから液体を吐出して記録媒体上に１つのドットを形成する際にも、吐出エネルギー付与手段から液体に付与される吐出エネルギーを小さくさせることにより、印刷された画像などの各領域間に大きな質の差が発生してしまうのを防止することができる。
【００２２】
第７の発明に係る印刷装置は、第６の発明に係る印刷装置であって、前記液体吐出ヘッドが、液体として互いに異なる色のインクを吐出する複数種類のノズルを有しており、前記制御手段が、いずれかの色のインクを吐出するノズルに対応する前記複数の吐出エネルギー付与手段のうち、所定の割合以上のものに対応する前記パラメータが前記しきい値を超えたときに、吐出するインクの色に関わらず、前記パラメータが前記しきい値を超えていない吐出エネルギー付与手段に対応するノズルからインクを吐出して前記記録媒体上に１つのドットを形成する際にも、前記複数の吐出エネルギー付与手段からインクに付与する吐出エネルギーを、それまでよりも小さくさせるように前記駆動手段を制御することを特徴とするものである。
【００２３】
液滴吐出ヘッドが、液体として複数の互いに異なる色のインクを吐出するものである場合、特定の色のインクを吐出するノズルからインクを吐出して記録媒体上に１つのドットを形成する際に付与する吐出エネルギーだけを小さくさせると、記録媒体に着弾する上記特定の色のインクの体積が、他の色のインクの体積よりも小さくなり画質が大きく低下してしまう虞がある。
【００２４】
しかしながら、本発明では、いずれかの色のインクを吐出するノズルのうち所定の割合以上のノズルに対応するパラメータがしきい値を超えたときに、パラメータが所定のしきい値を超えていないノズルからインクを吐出して記録媒体上に１つのドットを形成する際に、ノズルから吐出されるインクの色に関わらず、吐出エネルギー付与手段からインクに付与されるエネルギーを、それまでよりも小さくさせることにより、上記のような大きな画質の低下を抑えることができる。
【発明の効果】
【００２５】
本発明によれば、吐出エネルギー付与手段は、その使用頻度が増加して液体に付与する吐出エネルギーの合計が大きくなるほど劣化してしまうが、いずれかの吐出エネルギー付与手段における使用頻度に関わるパラメータが、所定のしきい値を超えたときに、当該ノズルから液体を吐出して前記記録媒体上に１つのドットを形成する際に、吐出エネルギー付与手段から液体に付与する吐出エネルギーを、それまでよりも小さくさせることにより、記録媒体に印刷される画像などの質は多少低下してしまうものの、吐出エネルギー付与手段の寿命を長くすることができる。
【図面の簡単な説明】
【００２６】
【図１】本発明における実施の形態に係るプリンタの概略構成図である。
【図２】図１のインクジェットヘッドの一部を示す平面図である。
【図３】図２のＩＩＩ−ＩＩＩ線断面図である。
【図４】図２のＩＶ−ＩＶ線断面図である。
【図５】図１の制御装置のブロック図である。
【図６】プリンタ１において印刷を行う際の制御装置における制御の流れを示すフローチャートである。
【図７】ドライバＩＣから個別電極に付与される駆動パルスを示す図であり、（ａ）は通常時、（ｂ）は駆動パルスが付与された回数の積算値が所定値を超えたときを示している。
【図８】変形例１の図６相当のフローチャートである。
【図９】変形例２の図６相当のフローチャートである。
【図１０】変形例３の図７相当の図である。
【図１１】変形例４の図７相当の図である。
【発明を実施するための形態】
【００２７】
以下、本発明の好適な実施の形態について説明する。
【００２８】
図１は、本実施の形態に係るプリンタの概略構成図である。図１に示すように、プリンタ１は、４つのインクジェットヘッド２、搬送ローラ３などを備えている。また、プリンタ１の動作は制御装置５０により制御されている。
【００２９】
４つのインクジェットヘッド２（液体吐出ヘッド）は、図１の左右方向（走査方向）に、記録用紙Ｐの全長にわたって延びた、いわゆるラインヘッドであり、プリンタ１に対して固定されている。これら４つのインクジェットヘッド２は、それぞれ、図１における上に配置されているものから順に、その下面に形成された複数のノズル１５から、ブラック、イエロー、シアン、マゼンタのインクを吐出する。
【００３０】
搬送ローラ３は、４つのインクジェットヘッド２を挟むように、これら４つのインクジェットヘッド２の図１における上方、下方に置されており、記録用紙Ｐを図１の下方（紙送り方向）に搬送する。
【００３１】
そして、プリンタ１においては、搬送ローラ３により紙送り方向に搬送される記録用紙Ｐに、４つのインクジェットヘッド２のノズル１５からインクを吐出することにより、記録用紙Ｐに印刷を行う。
【００３２】
次に、インクジェットヘッド２について説明する。図２は図１のインクジェットヘッド２の一部を拡大した平面図である。図３は図２のＩＩＩ−ＩＩＩ線断面図である。図４は図２のＩＶ−ＩＶ線断面図である。図２〜図４に示すように、インクジェットヘッド２は、流路ユニット３１と圧電アクチュエータ３２とを有している。
【００３３】
流路ユニット３１は、キャビティプレート２１、ベースプレート２２、マニホールドプレート２３及びノズルプレート２４が互いに積層されることにより形成されている。これら４枚のプレート２１〜２４のうち、ノズルプレート２４を除いたプレート２１〜２３がステンレスなどの金属材料からなり、ノズルプレート２４がポリイミド等の合成樹脂材料からなる。あるいは、ノズルプレート２４も他のプレート２１〜２３と同様、金属材料により構成されていてもよい。
【００３４】
キャビティプレート２１には、複数の圧力室１０が形成されている。複数の圧力室１０は、それぞれ、紙送り方向（図２の上下方向）を長手方向とする略楕円の平面形状を有しており、走査方向（図２の左右方向）に２列に配列されている。ベースプレート２２には、平面視で複数の圧力室１０の長手方向両端部と対向する部分に、それぞれ、平面視で略円形の複数の貫通孔１２、１３が形成されている。
【００３５】
マニホールドプレート２３には、マニホールド流路１１が形成されている。マニホールド流路１１は、図２の上側に配列された複数の圧力室１０の略上半分、及び、図２の下側に配列された複数の圧力室１０の略下半分と対向するように走査方向に延びている。また、マニホールドプレート２３には、平面視で複数の貫通孔１３と対向する位置に、略円形の平面形状を有する複数の貫通孔１４が形成されている。
【００３６】
ノズルプレート２４には、平面視で複数の貫通孔１４と対向する位置に複数のノズル１５が形成されている。そして、流路ユニット３１においては、マニホールド流路１１が貫通孔１２を介して圧力室１０と連通しているとともに、圧力室１０が貫通孔１３、１４を介してノズル１５に連通している。このように、流路ユニット３１には、マニホールド流路１１の出口から圧力室１０を経てノズル１５に至る複数の個別インク流路が形成されている。
【００３７】
圧電アクチュエータ３２は、振動板４１、圧電層４２及び複数の個別電極４３を備えている。振動板４１は、ステンレスなどの金属材料からなり、複数の圧力室１０の上面の開口を塞ぐように流路ユニット３１の上面に接合されている。また、導電性を有する振動板４１は個別電極４３との間に電位差を生じさせるための共通電極を兼ねており、常にグランド電位に保持されている。
【００３８】
圧電層４２は、チタン酸鉛とジルコン酸鉛との混晶であるチタン酸ジルコン酸鉛を主成分とする圧電材料からなり、振動板４１の上面に、複数の圧力室１０にまたがって連続的に配置されている。
【００３９】
複数の個別電極４３は、個別電極４３は、圧力室１０よりも一回り小さい略楕円の平面形状を有しており、圧電層４２の上面における圧力室１０の略中央部と対向する部分に配置されている。また、圧電層４２の個別電極４３と共通電極としての振動板４１とに挟まれた部分は、その厚み方向に下向きに分極されている。
【００４０】
さらに、個別電極４３の紙送り方向に関するノズル１５と反対側の端部は、圧力室１０と対向しない位置まで延びており、その先端部が接続端子４３ａとなっている。接続端子４３ａは図示しないフレキシブル配線部材（ＦＰＣ）などに接続されており、さらにＦＰＣを介してドライバＩＣ４５（図５参照）に接続されている。ドライバＩＣ４５は、後述するように、記録用紙Ｐ上にインクを着弾させて１つのドットを形成させるために、形成させるドットの大きさに応じて、１〜３個の駆動パルス（図７参照）を個別電極４３に付与する。
【００４１】
そして、以上のような構成を有する圧電アクチュエータ３２は、複数の圧力室１０と対向する部分（図３、４の一点鎖線で囲んだ部分）がそれぞれ、圧力室１０内のインクに圧力（吐出エネルギー）を付与するための圧電素子４６（吐出エネルギー付与手段）となっている。すなわち、複数の圧電素子４６が、複数の圧力室１０（ノズル１５）に対して個別に設けられている。
【００４２】
ここで、圧電アクチュエータ３２（圧電素子４６）の駆動方法について説明する。圧電アクチュエータ３２においては予め個別電極４３がグランド電位に保持されている。そして、個別電極４３に駆動パルスが付与されることにより個別電極４３の電位が所定の駆動電位Ｖ１になると、個別電極４３と共通電極としての振動板４１との間に電位差が生じ、圧電層４２のこれらの電極に挟まれた部分に分極方向と同じ下向きの電界が発生する。この電界により、圧電層４２のこの部分は、厚み方向と直交する水平方向に収縮し、これに伴って、振動板４１及び圧電層４２の圧力室１０と対向する部分が全体として、圧力室１０側に凸となるように変形し、圧力室１０の容積が小さくなる。これにより、圧力室１０内のインクの圧力が上昇し（圧力が付与され、吐出エネルギーが付与され）、圧力室１０に連通するノズル１５からインク滴が吐出される。その後、個別電極４３の電位がグランド電位に戻ると、圧電アクチュエータ３２も変形前の状態に戻る。
【００４３】
このとき、ドライバＩＣ４５から個別電極４３に１つの駆動パルスが付与された場合には、上述した動作が１度だけ行われ、ノズル１５から１つのインク滴が吐出される。そして、記録用紙Ｐにこの１つのインク滴が着弾することで１つのドットが形成される。
【００４４】
また、ドライバＩＣ４５から個別電極４３に２つの駆動パルスが連続して付与された場合には、上述した動作が２回繰り返されることでノズル１５から２つのインク滴が連続して吐出される。そして、記録用紙Ｐにこれら２つのインク滴が着弾することで１つのドットが形成される。
【００４５】
さらに、ドライバＩＣ４５から個別電極４３に３つの駆動パルスが連続して付与された場合には、上述した動作が３回繰り返されることでノズル１５から３つのインク滴が連続して吐出される。そして、記録用紙Ｐにこれら３つのインク滴が着弾することで１つのドットが形成される。
【００４６】
なお、以下では、１つのインク滴により形成されたドット、２つのインク滴により形成されたドット、及び３つのインク滴により形成されたドットを、それぞれ、小ドット、中ドット、大ドットとする。また、本実施の形態では、記録用紙に中ドット及び大ドットを形成するために、それぞれ、個別電極４３に２回及び３回駆動パルスを付与することが、本発明に係る、記録媒体上に１つのドットを形成する際に、駆動手段から各圧電素子に駆動パルスを複数回付与することに相当する。
【００４７】
次に、プリンタ１の動作を制御する制御装置５０について説明する。図５は制御装置５０のブロック図である。制御装置５０は、ＣＰＵ（Central Processing Unit）、ＲＯＭ（Read Only Memory）、ＲＡＭ（Random Access Memory）などからなり、これらが、図５に示すように、モード決定部５１、駆動パルスカウンタ５２、駆動パルス数制御部５３などとして動作する。
【００４８】
モード決定部５１は、プリンタ１における動作モードを決定する。より詳細には、プリンタ１においては、ユーザの選択により、大きなドットの割合が多く、画質は多少落ちるものの比較的高速で印刷が可能な、テキストやグラフなどの印刷に適した通常印刷モード、及び、小さなドットの割合が多く、印刷時間は多少かかるものの高画質で印刷が可能な、写真などの印刷に適した高解像度印刷モードのいずれかのモードで選択的に動作させることができるようになっている。そして、モード決定部５１は、ユーザによるモードの選択などにより入力されたモード指示信号に応じて、プリンタ１を通常印刷モード、及び、高解像度印刷モードのいずれのモードで動作させるかを決定する。
【００４９】
駆動パルスカウンタ５２は、ドライバＩＣ４５から各圧電素子４６の個別電極４３に駆動パルスが付与される毎にその回数を個別にカウントし、現在までに、各個別電極４３に駆動パルスが付与された回数の積算値Ｃｓ（使用頻度に関わるパラメータ）を記憶する（積算値Ｃｓを監視する）。駆動パルス数制御部５３は、外部から入力される、記録用紙Ｐに着弾させるインク滴の大きさを示す印刷信号、モード決定部５１において決定された印刷モード、及び、駆動パルスカウンタ５２に記憶された積算値Ｃｓに応じて、後述するように、ドライバＩＣ４５から個別電極４３に付与する駆動パルスの数を制御する。
【００５０】
次に、プリンタ１において印刷を行う際の流れについて説明する。図６は、当該流れを示すフローチャートである。図７は、印刷を行う際にドライバＩＣ４５から個別電極４３に付与する駆動パルスを示す図であり、（ａ）は通常時、（ｂ）は積算値Ｃｓが後述の所定値Ｃｐを超えたときを示している。なお、以下の動作は、制御装置５０がインクジェットヘッド２（圧電素子４６）、搬送ローラ３などを動作させることによって行われる。
【００５１】
プリンタ１においては、外部から印刷信号が入力されるまで待機しており（Ｓ１０１：ＮＯ）、印刷信号が入力されると、高解像度印刷モードで動作して印刷を行う場合には（Ｓ１０２：ＹＥＳ）、ドライバＩＣ４５から個別電極４３に、印刷信号に応じた数の駆動パルスを付与する。すなわち、印刷信号が記録用紙Ｐに大ドット、中ドット及び小ドットを着弾させることを示すものである場合に、それぞれ、図７（ａ）に示すように、３つ、２つ、１つの駆動パルスを、ドライバＩＣ４５から個別電極４３に付与する（Ｓ１０３）。
【００５２】
一方、通常印刷モードで動作して印刷を行う場合には（Ｓ１０２：ＮＯ）、駆動パルスカウンタ５２に記憶された、駆動させるべき圧電素子４６に対応する積算値Ｃｓが所定値Ｃｐ（所定のしきい値）よりも多いか否かを判定する（Ｓ１０４）。
【００５３】
そして、駆動させるべき圧電素子４６に対応する積算値Ｃｓが、所定値Ｃｐを超えている場合（Ｓ１０４：ＹＥＳ）には、それ以降、通常時よりも（それまでよりも）ドライバＩＣ４５から当該圧電素子４６の個別電極４３に付与する駆動パルスの数を減らす（少なくさせる）。
【００５４】
具体的には、図７（ａ）、（ｂ）に示すように、印刷信号が記録用紙Ｐに大ドットを着弾させることを示すものである場合には、ドライバＩＣ４５から個別電極４３に付与する駆動パルスの数を３つから１つに減らし、印刷信号が記録用紙Ｐに中ドットを着弾させることを示すものである場合には、ドライバＩＣ４５から個別電極４３に付与する駆動パルスの数を２つから１つに減らす。これにより、圧電素子４６から圧力室１０内のインクに付与される吐出エネルギーが、それまでよりも小さくなる。なお、印刷信号が記録用紙Ｐに小ドットを着弾させるものである場合には、ドライバＩＣ４５から個別電極４３に付与する駆動パルスの数は１つのままである。
【００５５】
ここで、圧電アクチュエータ３２の各圧電素子４６においては、その駆動回数の合計が多くなる（使用頻度が高くなる）につれて、つまり、圧電素子４６から圧力室１０内のインクに付与される吐出エネルギーの合計が大きくなるにつれて、圧電層４２の分極が弱まるなどして劣化し、圧電素子４６の駆動特性が低下する。このため、駆動パルスの高さ（駆動電位）が一定であれば、圧電素子４６における最大の駆動可能回数Ｃｍは予め決まっており、圧電素子４６の駆動回数の合計、つまり、積算値Ｃｓが当該最大の駆動回数Ｃｍに達すると、それ以上圧電素子４６を駆動することができなくなってしまう。したがって、特定の圧電素子４６の使用頻度が高く、早い段階で当該使用頻度の高い圧電素子４６が駆動できなくなってしまうと、他の圧電素子４６がまだ駆動可能であっても、プリンタ１において印刷を行うことができなくなってしまう。
【００５６】
このとき、本実施の形態とは異なり、インクジェットヘッドが走査方向に移動しつつノズルからインクを吐出する、いわゆるシリアルヘッドである場合には、駆動できなくなった圧電素子に対応するノズルに代わって別のノズルからインクを吐出すれば、プリンタ１において継続して印刷を行うことが可能であるが、本実施ではインクジェットヘッド２がラインヘッドであるので、このような制御を行うことも困難なものとなる。
【００５７】
そこで、本実施の形態では、圧電素子４６の駆動回数、つまり、ドライバＩＣ４５から個別電極４３に駆動パルスが付与された回数の積算値Ｃｓが、所定値Ｃｐを超えたときには、それ以降、通常時よりも、当該圧電素子４６の個別電極４３に付与する駆動パルスの数を減らしている。なお、所定値Ｃｐは、圧電素子４６における最大の駆動可能回数Ｃｍよりも少ない値（例えば、最大の駆動可能回数Ｃｍの８０〜９０％程度の値）である。
【００５８】
これにより、記録用紙Ｐの中ドット、大ドットを着弾させるべき領域に小ドットが着弾することとなるため、印刷される画像の画質は多少低下してしまうものの、印刷の際に当該圧電素子４６（個別電極４３）に駆動パルスが付与される回数が少なくなることにより圧電素子４６の駆動回数が減少するため（圧電素子４６から圧力室１０内のインクに付与する吐出エネルギーが小さくなるため）、当該圧電素子４６の寿命を延ばすことができる。
【００５９】
このとき、圧電アクチュエータ３２が、個別電極４３に駆動パルスが付与されることによって圧力室１０内のインクに圧力を付与するものであるので、ドライバＩＣ４５から個別電極４３に付与する駆動パルスの数を減らすことにより、容易に、圧電素子４６に付与する吐出エネルギーを小さくすることができる。
【００６０】
一方、当該圧電素子４６に対応する積算値Ｃｓが所定値Ｃｐ以下の場合には（Ｓ１０４：ＮＯ）、さらに、４つのインクジェットヘッド２（駆動させるべき圧電素子４６が含まれる１つのインクジェットヘッド２と、それ以外の３つのインクジェットヘッド２）のいずれかにおいて、積算値Ｃｓが所定値Ｃｐを超えている圧電素子４６の割合Ｒが、所定割合Ｒｐ以上であるか否かを判定する（Ｓ１０５）。
【００６１】
そして、４つのインクジェットヘッド２のいずれにおいても、積算値Ｃｓが所定値Ｃｐを超えている圧電素子４６の割合Ｒが、所定割合Ｒｐ未満である場合には（Ｓ１０５：ＮＯ）、上述したのと同様、ドライバＩＣ４５から個別電極４３に、印刷信号に応じた数の駆動パルスを付与する（Ｓ１０３）。
【００６２】
一方、４つのインクジェットヘッド２のいずれかにおいて、積算値Ｃｓが所定値Ｃｐを超えている圧電素子４６の割合Ｒが所定割合Ｒｐ以上である場合（Ｓ１０５：ＹＥＳ）には、駆動させるべき圧電素子４６に対応する積算値Ｃｓが所定値Ｃｐ以下であっても、それ以降、それまでよりも、ドライバＩＣ４５から個別電極４３に付与する駆動パルスの数を減らす（Ｓ１０６）。つまり、圧力室１０内のインクに付与する吐出エネルギーを小さくする。
【００６３】
ここで、駆動させるべき圧電素子４６に対応する積算値Ｃｓが所定値Ｃｐ以下であっても、当該圧電素子４６が含まれるインクジェットヘッド２において、積算値Ｃｓが所定値Ｃｐを超えている圧電素子４６の割合Ｒが多い場合には、当該圧電素子４６の個別電極４３に通常通り駆動パルスを付与すると、印刷された画像において、付与する駆動パルスの数を減らした圧電素子４６に対応するノズル１５から吐出されて着弾したインク滴により形成される部分と、通常通りの数の駆動パルスを付与した圧電素子４６に対応するノズル１５から吐出されて着弾したインク滴により形成される部分との間で、画質に大きな差が生じてしまう虞がある。
【００６４】
さらに、４つのインクジェットヘッド２のいずれかにおいて、積算値Ｃｓが所定値Ｃｐを超えている圧電素子４６の割合Ｒが多い場合には、他のインクジェットヘッド２に含まれる圧電素子４６の個別電極４３に通常通りに駆動パルスが付与されると、色間でドットの大きさに大きなばらつきが発生してしまい、印刷される画像の画質が大きく低下してしまう虞がある。
【００６５】
しかしながら、本実施の形態では、４つのインクジェットヘッド２のいずれかにおいて、積算値Ｃｓが所定値Ｃｐを超えている圧電素子４６の割合Ｒが所定割合Ｒｐ以上である場合に、駆動させるべき圧電素子４６に対応する積算値Ｃｓが所定値Ｃｐ以下であっても、当該圧電素子４６の個別電極４３に付与する駆動パルスの数を減らしているので、駆動させるべき圧電素子４６が含まれるインクジェットヘッド２において、積算値Ｃｓが所定値Ｃｐを超えている圧電素子４６の割合Ｒが多くなった場合には、印刷される画像の全部分の画質が低下するため、印刷された画像の部分間に大きな画質の差が発生してしまうのを防止することができる。
【００６６】
さらに、４つのインクジェットヘッド２のいずれかにおいて、積算値Ｃｓが所定値Ｃｐを超えている圧電素子４６の割合Ｒが多くなった場合に、駆動させるべき圧電素子４６に対応するノズル１５から吐出されるインクの色に関わらず、圧電素子４６の個別電極４３に付与する駆動パルスの数を減らしているので、色間のドットの大きさのばらつきが抑制され、大きな画質の低下を防止することができる。
【００６７】
また、前述の高解像度印刷モードで動作して印刷を行う場合に（Ｓ１０２：ＹＥＳ）、本実施の形態とは異なり、ドライバＩＣ４５から個別電極４３に付与する駆動パルスの数を減らすと、印刷された画像の画質の低下が特に目立ってしまう。
【００６８】
しかしながら、本実施の形態では、高解像度印刷モードで動作して印刷を行う場合には、駆動させるべき圧電素子４６に対応する積算値Ｃｓに関わらず、個別電極４３に付与する駆動パルスの数を減らさず、通常通り駆動パルスを付与することにより、印刷される画像における画質の低下を防止することができる。
【００６９】
また、高解像度で印刷を行うときには、記録用紙Ｐに小ドットを着弾させることが多く、中ドットや大ドットを着弾させることは少ないため、１つのドットを形成するために個別電極４３に２つ又は３つの駆動パルスを付与する頻度が小さく、個別電極４３に付与する駆動パルスの数を減らさなくても、圧電素子４６の寿命が大幅に短くなってしまうことはない。
【００７０】
一方、通常モードで動作させて印刷を行う場合には、上述したように、ドライバＩＣ４５から個別電極４３に付与する駆動パルスの数を減らしたとしても、高解像度印刷モードで動作して印刷を行う場合ほどは、印刷された画像における画質の低下は目立たない。
【００７１】
次に、本実施の形態に種々の変更を加えた変形例について説明する。ただし、本実施の形態と同様の構成を有するものについては同じ符号を付し、適宜その説明を省略する。
【００７２】
一変形例（変形例１）では、図８に示すように、駆動させるべき圧電素子４６に対応する積算値Ｃｓが所定値Ｃｐ以下であるときに（Ｓ１０４：ＮＯ）、駆動させるべき圧電素子４６が含まれるインクジェットヘッド２において、積算値Ｃｓが所定値Ｃｐを超えている圧電素子４６の割合Ｒが、所定割合Ｒｐ以上であるか否かのみを判定し（Ｓ２０５）、他の３つのインクジェットヘッド２については、当該判定を行わない。
【００７３】
そして、駆動させるべき圧電素子４６が含まれるインクジェットヘッド２における、積算値Ｃｓが所定値Ｃｐを超えている圧電素子４６の割合Ｒが、所定割合Ｒｐ以上である場合には（Ｓ２０５：ＹＥＳ）、上述の実施の形態と同様、当該圧電素子４６に対応する積算値Ｃｓが所定値Ｃｐ以下であっても、それ以降、通常時よりも、個別電極４３に付与する駆動パルスの数を減らす（Ｓ１０６）。一方、積算値Ｃｓが所定値Ｃｐを超えた圧電素子４６の割合Ｒが所定割合Ｒｐ未満である場合には（Ｓ２０５：ＮＯ）、個別電極４３に通常通りに駆動パルスを付与する（Ｓ１０３）。
【００７４】
この場合でも、駆動させるべき圧電素子４６が含まれるインクジェットヘッド２において、積算値Ｃｓが所定値Ｃｐを超えている圧電素子４６の割合Ｒが、所定割合Ｒｐ以上である場合に、駆動させるべき圧電素子４６に対応する積算値Ｃｓが所定値Ｃｐ以下であっても、当該圧電素子４６の個別電極４３に付与する駆動パルスの数を減らしているので、上述の実施の形態と同様、印刷された画像の部分間に大きな画質の差が発生してしまうのを防止することができる。
【００７５】
また、別の一変形例（変形例２）では、図９に示すように、駆動させるべき圧電素子４６に対応する積算値Ｃｓが所定値Ｃｐ以下であるときに（Ｓ１０４：ＮＯ）、上記Ｓ１０５、Ｓ２０５（図６、図８）に示すような判定を行わず、通常通り駆動パルスを付与している（Ｓ１０３）。
【００７６】
この場合でも、駆動させるべき圧電素子４６に対応する積算値Ｃｓが所定値Ｃｐを超えたときには、それ以降、当該圧電素子４６の個別電極４３に付与する駆動パルスの数を通常時よりも減らしているため、記録用紙Ｐの中ドット、大ドットを着弾させるべき領域に小ドットが着弾することとなり、印刷される画像の画質は多少低下してしまうものの、印刷の際に当該圧電素子４６（個別電極４３）に付与される駆動パルスの数が少なくなるため、当該圧電素子４６の寿命を延ばすことができる。
【００７７】
また、上述の実施の形態では、圧電素子４６の個別電極４３に駆動パルスが付与された回数が所定値Ｃｐを超えたときに、それ以降、印刷信号が、大ドット及び中ドットのいずれを着弾させることを示すものである場合にも、ドライバＩＣ４５から個別電極４３に付与する駆動パルスの数を１つに減らしたが、駆動パルスの数の減らし方はこれには限られない。
【００７８】
別の一変形例（変形例３）では、圧電素子４６の個別電極４３に駆動パルスが付与された回数が所定値Ｃｐを超えたときに、それ以降、図１０に示すように、印刷信号が大ドットを着弾させることを示すものである場合には、ドライバＩＣ４５から個別電極４３に付与する駆動パルスの数を３つから２つに減らし、印刷信号が中ドットを着弾させることを示すものである場合には、ドライバＩＣ４５から個別電極４３に付与する駆動パルスの数を２つから１つに減らしている。なお、この場合も、上述の実施の形態と同様、印刷信号が記録用紙Ｐに小ドットを着弾させるものである場合には、ドライバＩＣ４５から個別電極４３に付与する駆動パルスの数は１つのままである。
【００７９】
この場合でも、駆動させるべき圧電素子４６に対応する積算値Ｃｓが、所定値Ｃｐを超えたときには、それ以降、通常時よりも、当該圧電素子４６の個別電極４３に付与する駆動パルスの数を減らしているため、記録用紙Ｐの中ドット、大ドットを着弾させるべき領域にそれぞれ、小ドット、中ドットが着弾することとなり、印刷される画像の画質は多少低下してしまうものの、印刷の際に当該圧電素子４６（個別電極４３）に駆動パルスが付与される回数が少なくなるため、圧電素子４６の駆動回数が減少し、当該圧電素子４６の寿命が延びる。
【００８０】
また、上述の実施の形態においては、圧電素子４６の個別電極４３に駆動パルスが付与された回数が所定値Ｃｐを超えたときに、それ以降、ドライバＩＣ４５から個別電極４３に付与する駆動パルスの数を減らしていたが、これには限られない。
【００８１】
別の一変形例（変形例４）では、上記積算値Ｃｓが所定値Ｃｐを超えたときなどに、図９に示すように、ドライバＩＣ４５から個別電極４３に駆動パルスを付与する回数は変えず、その高さを通常時の高さを低くしている（駆動電位が通常時の駆動電位Ｖ１よりも低い駆動電位Ｖ２となるような高さにしている）。
【００８２】
ここで、圧電素子４６においては、駆動パルスの高さが一定である場合には、最大の駆動回数Ｃｍは予め決まっているが、駆動パルスの高さが低くなり駆動電位が小さくなれば、圧電素子４６を駆動したときに、圧電素子４６から圧力室１０内のインクに付与される吐出エネルギーは小さくなるため、最大の駆動可能回数Ｃｍは増加する。したがって、圧電素子４６の個別電極４３に駆動パルスが付与された回数が所定値Ｃｐを超えたときに、それ以降、ドライバＩＣ４５から個別電極４３に付与する駆動パルスの高さを低くすることにより、ノズル１５から吐出されるインク滴の体積が小さくなって印刷される画像の画質は多少低下してしまうものの、圧電素子４６の寿命を延ばすことができる。
【００８３】
また、この場合には、圧電アクチュエータ３２が、個別電極４３に駆動パルスが付与されることによって圧力室１０内のインクに圧力を付与するものであるので、駆動パルスの高さを低くすることにより、容易に、圧電素子４６に付与する吐出エネルギーを小さくすることができる。
【００８４】
また、上述の実施の形態では、高解像度印刷モードで動作して印刷を行う場合には、駆動させるべき圧電素子４６に対応する積算値Ｃｓに関わらず、個別電極４３に付与する駆動パルスの数を減らさなかったが、高解像度印刷モードで動作させて印刷を行う場合においても、通常印刷モードで動作させて印刷を行う場合と同様に、駆動パルスの数を減らしてもよい。
【００８５】
また、上述の実施の形態では、プリンタ１が互いに異なる色のインクを吐出する４つのインクジェットヘッド２を有していたが、インクジェットヘッド２の数、及び、インクジェットヘッド２から吐出されるインクの色の種類及びその数はこれには限られない。
【００８６】
また、上述の実施の形態では、インクジェットヘッド２がいわゆるラインヘッドであったが、これには限られず、インクジェットヘッドは、走査方向に往復移動しつつ、ノズルからインクを吐出する、いわゆるシリアル式のインクジェットヘッドであってもよい。
【００８７】
また、以上では、圧電素子４６により圧力室１０内のインクに圧力を付与することによって、ノズル１５からインク滴を吐出するインクジェットヘッドを有するプリンタに本発明を適用した例について説明したが、これには限られず、上述したのとは異なる方法により、ノズルからインクを吐出するための吐出エネルギーを付与するインクジェットヘッドを有するプリンタに本発明を適用することも可能である。
【００８８】
一例として、インクジェットヘッドが、ヒータにより圧力室を加熱することにより圧力室内の気泡を膨張させることにより圧力室内のインクの圧力を上昇させて（吐出エネルギーを付与して）、ノズルからインク滴を吐出するインクジェットヘッドである場合には、ヒータの加熱時間の合計が大きくなるにつれて、ヒータの表面に発生するこげ成分などの影響により劣化し、ヒータの加熱能力が下がっていく。
【００８９】
そこで、このような場合には、例えば、制御装置に上述の駆動パルスカウンタ５２の代わりに、ヒータによる加熱時間を測定するとともに、その時間の積算値を記憶するタイマーなどを設け、当該積算値が、所定値を超えたときに、それ以降、それまでよりも、１つのドットを形成するためにヒータにより圧力室を加熱する時間を短くするなどすれば、ヒータから圧力室内のインクに付与する吐出エネルギーを小さくなるため、ヒータの加熱能力の低下が抑制され、インクジェットヘッドの寿命を延ばすことができる。
【００９０】
ただし、この場合にも、ヒータにより圧力室が加熱される時間が短くなり、気泡の膨張量が小さくなることでノズルから吐出されるインク滴の体積は小さくなってしまうため、印刷される画像の画質は多少低下してしまう。
【００９１】
なお、上述の実施の形態における圧電素子４６においても、その駆動時間が長くなるほど、ドライバＩＣ４５から個別電極４３に駆動パルスが付与される回数の積算値Ｃｓが増加すると考えられるので、上述の実施の形態においても、駆動パルスカウンタ５２の代わりに上述したようなタイマーを設け、当該タイマーに記憶された圧電素子４６の駆動時間の積算値が所定値を超えたときに、それ以降、通常時よりもドライバＩＣ４５から個別電極４３に付与する駆動パルスの数を減らすなどしてもよい。
【００９２】
また、以上の説明では、ノズルからインクを吐出することにより画像の印刷を行うインクジェットプリンタに本発明を適用した例について説明したが、これには限られず、ノズルから配線を形成する導電性材料の液滴を吐出することによって配線パターンを印刷するための印刷装置など、インク以外の液体を吐出する液体吐出ヘッドを有する印刷装置に本発明を適用することも可能である。
【符号の説明】
【００９３】
１  プリンタ
２  インクジェットヘッド
１０  圧力室
１５  ノズル
４５  ドライバＩＣ
４６  圧電素子
５０  制御装置
【図１】
2010194985.tif 000003
【図２】
2010194985.tif 000004
【図３】
2010194985.tif 000005
【図４】
2010194985.tif 000006
【図５】
2010194985.tif 000007
【図６】
2010194985.tif 000008
【図７】
2010194985.tif 000009
【図８】
2010194985.tif 000010
【図９】
2010194985.tif 000011
【図１０】
2010194985.tif 000012
【図１１】
2010194985.tif 000013